(57)【要約】【課題】電子ペンで記入された内容をより正確にテキストデータ化することが可能な電子ペンシステム等を提供する。【解決手段】電子ペンシステム１は、電子ペン１０と端末ＰＣ３を有する。端末ＰＣ３は、電子ペン１０からユーザの指紋データ２６と電子ペン１０の記入時の軌跡を示すストロークデータ２５を取得する電子ペンデータ取得手段３０１と、指紋データ２６に対応するユーザの手書き跡を示すフォントデータ２８を用いて、ストロークデータ２５についてＯＣＲ処理を行い、テキストデータに変換する変換手段３０２と、を備える。【選択図】図５
2015060484.tif 000002
【特許請求の範囲】
【請求項１】
電子ペンと情報処理装置からなる電子ペンシステムであって、
前記情報処理装置は、
前記電子ペンによって得られたユーザ識別情報と前記電子ペンの記入時の軌跡を示すストロークデータを取得する電子ペンデータ取得手段と、
データベースに登録された、前記ユーザ識別情報に対応するユーザの手書き跡を示すフォントデータを取得し、前記フォントデータを用いて前記ストロークデータについてＯＣＲ処理を行い、テキストデータに変換する変換手段と、
を備えることを特徴とする電子ペンシステム。
【請求項２】
前記ユーザ識別情報は、ユーザの生体情報であることを特徴とする請求項１に記載の電子ペンシステム。
【請求項３】
前記生体情報は、指紋データであることを特徴とする請求項２に記載の電子ペンシステム。
【請求項４】
前記テキストデータは、点検用帳票への記入内容を示すものであることを特徴とする請求項１乃至請求項３のいずれかに記載の電子ペンシステム。
【請求項５】
前記情報処理装置は、前記ユーザ識別情報と前記フォントデータの前記データベースへの登録を行う登録手段を有することを特徴とする請求項１乃至請求項４のいずれかに記載の電子ペンシステム。
【請求項６】
前記変換手段は、標準のフォントデータを用いて前記ストロークデータのＯＣＲ処理を行うことが可能であることを特徴とする請求項１乃至請求項５のいずれかに記載の電子ペンシステム。
【請求項７】
電子ペンと情報処理装置からなる電子ペンシステムにおけるテキストデータ作成方法であって、
前記情報処理装置が、
前記電子ペンによって得られたユーザ識別情報と前記電子ペンの記入時の軌跡を示すストロークデータを取得するステップと、
データベースに登録された、前記ユーザ識別情報に対応するユーザの手書き跡を示すフォントデータを取得し、前記フォントデータを用いて前記ストロークデータについてＯＣＲ処理を行い、テキストデータに変換するステップと、
を実行することを特徴とするテキストデータ作成方法。
【請求項８】
電子ペンによって得られたユーザ識別情報と前記電子ペンの記入時の軌跡を示すストロークデータを取得する電子ペンデータ取得手段と、
データベースに登録された、前記ユーザ識別情報に対応するユーザの手書き跡を示すフォントデータを取得し、前記フォントデータを用いて前記ストロークデータについてＯＣＲ処理を行い、テキストデータに変換する変換手段と、
を備えることを特徴とする情報処理装置。
【請求項９】
コンピュータを、
前記電子ペンによって得られたユーザ識別情報と前記電子ペンの記入時の軌跡を示すストロークデータを取得する電子ペンデータ取得手段と、
データベースに登録された、前記ユーザ識別情報に対応するユーザの手書き跡を示すフォントデータを取得し、前記フォントデータを用いて前記ストロークデータについてＯＣＲ処理を行い、テキストデータに変換する変換手段と、
して機能させるためのプログラム。
【請求項１０】
コンピュータを、
前記電子ペンによって得られたユーザ識別情報と前記電子ペンの記入時の軌跡を示すストロークデータを取得する電子ペンデータ取得手段と、
データベースに登録された、前記ユーザ識別情報に対応するユーザの手書き跡を示すフォントデータを取得し、前記フォントデータを用いて前記ストロークデータについてＯＣＲ処理を行い、テキストデータに変換する変換手段と、
して機能させるためのプログラムを記録した記録媒体。
【発明の詳細な説明】
【技術分野】
【０００１】
本発明は、電子ペンを用いた電子ペンシステム等に関する。
【背景技術】
【０００２】
帳票等の記入の際、電子ペンが用いられることがある。電子ペンはデジタルペンとも呼ばれ、専用紙と組み合わせて使用される。専用紙には、専用紙上の位置に対応するドットパターンが印刷される。電子ペンは、専用紙への筆記時にペン先近傍の専用紙上のドットパターンを読取り、これに基づいて、筆記時のペン先の軌跡（ストローク）をデータ化したストロークデータを作成する。このストロークデータは、文字や記号の標準形状を示す標準のフォントデータをテンプレートとして用いたパターンマッチング手法などにより、サーバ等の外部装置においてＯＣＲ（Optical Character Recognition；光学式文字認識）処理が行われ、テキストデータに変換される（特許文献１〜３参照）。
【０００３】
電子ペンを用いる利点として、ペンで記入した文字をデジタル化しテキストデータとして保存することで、検索等のデータ処理が可能になることが挙げられる。また、電子ペンを用いて専用紙に実際に記入した内容も残すことができる。
【先行技術文献】
【特許文献】
【０００４】
【特許文献１】特開２００４−２０６２９３号公報
【特許文献２】特開２０１０−００３３０１号公報
【特許文献３】特開２０１１−０１８１２７号公報
【発明の概要】
【発明が解決しようとする課題】
【０００５】
しかしながら、従来のシステムでは、ユーザの手書き文字の癖等の問題から、ストロークデータに対しＯＣＲ処理を行ってテキストデータへ変換する際に文字認識率が悪いという問題があった。
【０００６】
本発明は、以上の問題点を鑑みてなされたものであり、電子ペンで記入された内容をより正確にテキストデータ化することが可能な電子ペンシステム等を提供することを目的とする。
【課題を解決するための手段】
【０００７】
前述した目的を達成するための第１の発明は、電子ペンと情報処理装置からなる電子ペンシステムであって、前記情報処理装置は、前記電子ペンからユーザのユーザ識別情報と前記電子ペンの記入時の軌跡を示すストロークデータを取得する電子ペンデータ取得手段と、データベースに登録された、前記ユーザ識別情報に対応するユーザの手書き跡を示すフォントデータを用いて、前記ストロークデータについてＯＣＲ処理を行い、テキストデータに変換する変換手段と、を備えることを特徴とする電子ペンシステムである。
【０００８】
本発明では、電子ペンで得られたストロークデータをＯＣＲ処理によりテキストデータへと変換するに当たり、予め登録したユーザ本人の手書き跡のフォントデータを用いるので、文字認識率が向上して電子ペンで記入された内容をより正確にテキストデータ化することが可能となる。
【０００９】
前記ユーザ識別情報は、ユーザの生体情報であることが望ましい。生体情報は、例えば、指紋データ等である。
これにより、電子ペンで記入したユーザを確実に特定することができる。
【００１０】
前記テキストデータは、点検用帳票への記入内容を示すものであることが望ましい。
この場合、用いる文字や記号は限られるので、フォントデータはこれらの文字や記号についてのみ登録すればよく、登録の負担が小さい。
【００１１】
前記情報処理装置は、前記ユーザ識別情報と前記フォントデータの前記データベースへの登録を行う登録手段を有することが望ましい。
これにより、情報処理装置よりユーザの手書き跡のフォントデータが登録できる。
【００１２】
前記変換手段は、前記フォントデータを前記データベースから取得できない場合、標準のフォントデータを用いて前記ストロークデータについてＯＣＲ処理を行うことが望ましい。
これにより、フォントデータが未登録のユーザに対しても、ストロークデータからテキストデータが作成できる。
【００１３】
第２の発明は、電子ペンと情報処理装置からなる電子ペンシステムにおけるテキストデータ作成方法であって、前記情報処理装置が、前記電子ペンからユーザのユーザ識別情報と前記電子ペンの記入時の軌跡を示すストロークデータを取得するステップと、データベースに登録された、前記ユーザ識別情報に対応するユーザの手書き跡を示すフォントデータを用いて、前記ストロークデータについてＯＣＲ処理を行い、テキストデータに変換するステップと、を実行することを特徴とするテキストデータ作成方法である。
【００１４】
第３の発明は、電子ペンからユーザのユーザ識別情報と前記電子ペンの記入時の軌跡を示すストロークデータを取得する電子ペンデータ取得手段と、データベースに登録された、前記ユーザ識別情報に対応するユーザの手書き跡を示すフォントデータを用いて、前記ストロークデータについてＯＣＲ処理を行い、テキストデータに変換する変換手段と、を備えることを特徴とする情報処理装置である。
【００１５】
第４の発明は、コンピュータを、電子ペンからユーザのユーザ識別情報と前記電子ペンの記入時の軌跡を示すストロークデータを取得する電子ペンデータ取得手段と、データベースに登録された、前記ユーザ識別情報に対応するユーザの手書き跡を示すフォントデータを用いて、前記ストロークデータについてＯＣＲ処理を行い、テキストデータに変換する変換手段と、して機能させるためのプログラムである。
【００１６】
第５の発明は、コンピュータを、電子ペンからユーザのユーザ識別情報と前記電子ペンの記入時の軌跡を示すストロークデータを取得する電子ペンデータ取得手段と、データベースに登録された、前記ユーザ識別情報に対応するユーザの手書き跡を示すフォントデータを用いて、前記ストロークデータについてＯＣＲ処理を行い、テキストデータに変換する変換手段と、して機能させるためのプログラムを記録した記録媒体である。
【発明の効果】
【００１７】
本発明により、電子ペンで記入された内容をより正確にテキストデータ化することが可能な電子ペンシステム等を提供することができる。
【図面の簡単な説明】
【００１８】
【図１】電子ペンシステム１を示す図
【図２】電子ペン１０の構成を示す図
【図３】電子ペン１０による帳票４への記入について示す図
【図４】帳票４を示す図
【図５】端末ＰＣ３の構成を示す図
【図６】サーバ５の構成を示す図
【図７】指紋ＤＢ８１、フォントＤＢ８２、帳票ＤＢ８３を示す図
【図８】電子ペン１０の記入時の処理を示すフローチャート
【図９】テキストデータ作成時の処理を示すフローチャート
【図１０】フォントデータ登録時の処理を示すフローチャート
【図１１】帳票４ａを示す図
【発明を実施するための形態】
【００１９】
以下、図面に基づいて本発明の実施形態を詳細に説明する。
【００２０】
［第１の実施形態］
（１．電子ペンシステム１）
まず、本実施形態に係る電子ペンシステム１の構成について説明する。
【００２１】
図１は電子ペンシステム１の構成を示す図である。電子ペンシステム１は、電子ペン１０、端末ＰＣ３（情報処理装置）、サーバ５等を有する。電子ペン１０と端末ＰＣ３は無線通信により接続され、端末ＰＣ３とサーバ５はネットワーク７を介して接続される。
【００２２】
電子ペンシステム１では、電子ペン１０で帳票４に記入した記入内容をＯＣＲ処理によってテキストデータ化する。特に本実施形態では、記入したユーザを特定し、そのユーザ本人の手書きによるフォントデータを利用してＯＣＲ処理を行うことにより、文字認識率を向上させて正確なテキストデータを得る。ＯＣＲ処理は、フォントデータをテンプレートとしたパターンマッチング手法によって筆跡から文字認識を行うものであるが、その手法については既知であるので詳細な説明は省略する。
【００２３】
（１−１．電子ペン１０）
電子ペン１０は、ユーザが電子ペン１０を用いて帳票４への記入を行った際に、ユーザ識別情報であるユーザの指紋データと、電子ペン１０の軌跡を示すストロークデータを記録する。そして、指紋データとストロークデータを端末ＰＣ３に送信する。
【００２４】
図２（ａ）は電子ペン１０の構成を示す図である。電子ペン１０では、円柱状のペン本体１９の側面に、ユーザが電子ペン１０を持つ際に親指でペン本体１９を支える親指把持部１９ａと、第二指でペン本体１９を支える第二指把持部１９ｂを窪み部として設けられる。
【００２５】
また、電子ペン１０は、インクペンユニット１１、光学ユニット１２、指紋取得部１３、プロセッサ２１、メモリ２２、通信ユニット２３を有する。電子ペン１０は、その他電源やインクカートリッジなど（不図示）も有する。
【００２６】
インクペンユニット１１はペン本体１９の先端に設けられる。インクペンユニット１１は、帳票４への筆記のために、ペン先にインクを供給する。
【００２７】
光学ユニット１２も同じくペン本体１９の先端に設けられる。光学ユニット１２は、赤外線カメラ等を有し、電子ペン１０により帳票４へ筆記を行う間、ペン先近傍で帳票４上のドットパターンを撮像する。ドットパターンについては後述する。
【００２８】
指紋取得部１３は親指把持部１９ａに設けられる。指紋取得部１３は、電子ペン１０を持つユーザの親指の指紋を撮像して、指紋データを取得するものである。
【００２９】
図２（ｂ）は指紋取得部１３を拡大して示す図であり、図２（ｃ）は図２（ｂ）の線Ａ−Ａによる断面図である。図２（ｂ）、（ｃ）に示すように、指紋取得部１３は、指紋撮像部１４、タッチセンサ１５、ヒンジ軸１６、バネ１７、透明板１８などによって構成される。
【００３０】
指紋取得部１３では、ガラス板などの透明板１８の一端がペン本体１９に設けたヒンジ軸１６にヒンジ結合される。また、透明板１８の他端と、ペン本体１９の側面との間にバネ１７が設けられる。
【００３１】
透明板１８の下方には、タッチセンサ１５と、カメラ等の指紋撮像部１４が設けられる。タッチセンサ１５と指紋撮像部１４はプロセッサ２１と接続しており、図２（ｃ）の矢印に示すように透明板１８が親指で押されてタッチセンサ１５に接触すると、プロセッサ２１の制御によって指紋撮像部１４で親指の指紋が撮像される。
【００３２】
図２（ａ）の説明に戻る。プロセッサ２１、メモリ２２、通信ユニット２３はペン本体１９の内部に設けられる。
【００３３】
プロセッサ２１は、電子ペン１０の各部から送られる信号あるいはデータに基づいて種々の処理を行う制御部である。特に本実施形態では、前記したように指紋撮像部１４でユーザの指紋を撮像して指紋データを取得するとともに、光学ユニット１２を制御して帳票４上のドットパターンを撮像してストロークデータを作成する。そして、これらのデータを紐付けて電子ペンデータとしてメモリ２２に記憶する。各データの詳細については後述する。
【００３４】
メモリ２２は、電子ペン１０の処理に必要なプログラムやデータの他、上記の電子ペンデータを記憶する。
通信ユニット２３は、無線通信により、メモリ２２内の電子ペンデータを端末ＰＣ３に送信するものである。
【００３５】
（１−２．電子ペン１０による帳票４への記入）
図３（ａ）は電子ペン１０による帳票４への記入について示す図である。図３（ａ）に示すように、帳票４の表面には、カーボンなどの赤外線を吸収する材料でドットパターン４１が形成されている。
【００３６】
ドットパターン４１は、多数のドット４２を格子線４３上に配列したものであり、各ドット４２と格子線４３の交点４４との位置関係が、帳票４上の位置によって異なる。すなわち、ドットパターン４１は帳票４上の位置ごとに固有のものであり、光学ユニット１２で撮像したドットパターン４１から画像処理等を行って上記の位置関係を抽出し、予めメモリ２２に格納した帳票４上の位置と上記の位置関係との関係を参照することにより、帳票４上のペン先の位置が特定できる。
【００３７】
図３（ｂ）は、メモリ２２に記録される電子ペンデータ２４を示す図である。電子ペンデータ２４はストロークデータ２５と指紋データ２６を有する。
【００３８】
ストロークデータ２５は、電子ペン１０による記入中、上記のようにして得られる帳票４上のペン先の位置を時系列順に記録したものである。指紋データ２６は、指紋撮像部１４で撮像した指紋画像を符号化したものである。符号化の方法については既知であり、ここでは説明を省略する。
【００３９】
図４に帳票４の一例を示す。本実施形態において、帳票４は稼働前の印刷機点検用の帳票であり、各点検項目についての点検結果等を電子ペン１０を使って文字や記号で記入するものである。
【００４０】
この帳票４では、各点検項目についての点検結果を記入する結果記入欄４６のほか、点検の日付、点検対象の装置名、点検を行った担当者名等の記入欄を有するヘッダ４５が設けられており、ユーザはこれらの記入欄に必要な文字や記号を記入する。なお、端末ＰＣ３の記憶部には、帳票４の結果記入欄４６の範囲を示す位置情報が記憶されている。
【００４１】
（１−３．端末ＰＣ３）
図５に端末ＰＣ３のハードウエア構成を示す。図５に示すように、端末ＰＣ３は、制御部３１、記憶部３２、通信部３３、入出力部３４、表示部３５、周辺機器Ｉ／Ｆ（インタフェース）部３６等がバス３７を介して接続されて構成される。
【００４２】
制御部３１は、ＣＰＵ、ＲＯＭ、ＲＡＭ等で構成される。
ＣＰＵは、記憶部３２、ＲＯＭ、記録媒体等に格納されるプログラムをＲＡＭ上のワークメモリ領域に呼び出して実行し、バス３７を介して接続された各部を駆動制御し、端末ＰＣ３が行なう後述の処理を実現する。ＲＯＭは、コンピュータのブートプログラムやＢＩＯＳ等のプログラム、データ等を恒久的に保持する。ＲＡＭは、ロードしたプログラムやデータを一時的に保持するとともに、制御部３１が各種処理を行なうために使用するワークエリアを備える。
【００４３】
記憶部３２は、ハードディスクドライブ等であり、制御部３１が実行する後述の処理についてのプログラムや、プログラム実行に必要なデータ、ＯＳ等が格納されている。
通信部３３は、通信制御装置、通信ポート等を有し、通信制御を行う。
【００４４】
入出力部３４は、例えば、キーボードやマウス等のポインティングデバイス、テンキー等の入力装置と、ＣＤ−ＲやＤＶＤ−Ｒ等のメディアへの書込・読出装置により構成される。
【００４５】
なお、本実施形態では、端末ＰＣ３がタッチパネル付のディスプレイ装置を有しており、ディスプレイ上にタッチペン３４２（図１参照）のペン先を接触させて移動させることで、端末ＰＣ３への文字や記号の入力が可能であるものとする。タッチペン３４２はインクペンユニット１１と光学ユニット１２を持たない以外は電子ペン１０と同様の構成であり、電子ペン１０と同様の指紋取得部１３も備えているものとする。
【００４６】
表示部３５は、上記のディスプレイ装置、およびディスプレイ装置と連携して表示処理を実行するための論理回路で構成される。
周辺機器I／Ｆ部３６は、周辺機器を接続するためのポートであり、周辺機器Ｉ／Ｆ部３６を介して周辺機器との間でデータの送受信が可能である。周辺機器との接続形態は有線、無線を問わない。
バス３７は、各部間の制御信号、データ信号等の授受を媒介する経路である。
【００４７】
図５（ｂ）は端末ＰＣ３の機能構成を示す図である。図５（ｂ）に示すように、端末ＰＣ３は、電子ペンデータ取得手段３０１、変換手段３０２、登録手段３０３等を有する。
【００４８】
電子ペンデータ取得手段３０１は、端末ＰＣ３の制御部３１が、電子ペン１０からストロークデータ２５、指紋データ２６を含む電子ペンデータ２４を受信して取得するものである。
【００４９】
変換手段３０２は、端末ＰＣ３の制御部３１が、指紋データ２６に対応するユーザの手書き跡を示すフォントデータをサーバ５から受信して取得し、これを用いてストロークデータ２５をＯＣＲ処理し、テキストデータに変換するものである。
【００５０】
登録手段３０３は、端末ＰＣ３の制御部３１が、ユーザの指紋データ２６と手書き跡のフォントデータの登録をサーバ５に対して行うものである。
【００５１】
（１−４．サーバ５）
図６はサーバ５のハードウェア構成を示す図である。図６に示すように、サーバ５は、制御部５１、記憶部５２、通信部５３、入出力部５４、表示部５５、周辺機器Ｉ／Ｆ部５６等がバス５７を介して接続されて構成されたコンピュータ等で実現できる。各部分の構成は、図５（ａ）等で説明した端末ＰＣ３のものと同様であるので、説明を省略する。
【００５２】
また、図１に示すようにサーバ５は指紋ＤＢ（データベース）８１、フォントＤＢ８２、帳票ＤＢ８３を備える。図７（ａ）〜（ｃ）は、それぞれ指紋ＤＢ８１、フォントＤＢ８２、帳票ＤＢ８３について示す図である。
【００５３】
図７（ａ）に示す指紋ＤＢ８１は、ユーザごとにユーザＩＤ２７と指紋データ２６を紐付けて格納したものである。
【００５４】
図７（ｂ）に示すフォントＤＢ８２は、ユーザごとにユーザＩＤ２７と手書き跡のフォントデータ２８を紐付けて格納したものである。フォントデータ２８は文字や記号の形状を表すものであり、帳票４の入力に必要な文字や記号について登録される。特に本実施形態のような点検用の帳票の場合、用いる文字や記号の数が少ないので登録の負担も小さい。なお、本実施形態では、手書き跡のフォントデータ２８がフォントＤＢ８２に格納される他、サーバ５の記憶部５２に、一般的なＯＣＲ処理で用いる、文字や記号の標準形状を示す標準のフォントデータも記憶される。
【００５５】
帳票ＤＢ８３は、帳票４の各点検項目の点検結果８３１や点検日付８３２をユーザＩＤ２７と紐付けて格納したものである。帳票４の各点検項目については予めサーバ５の記憶部で記憶されており、これらの点検項目についての点検結果８３１や点検日付８３２などが、端末ＰＣ３から受信したテキストデータ等に基づいて記録される。
【００５６】
（２．電子ペンシステム１における処理）
続いて、電子ペンシステム１における各種の処理について説明する。
【００５７】
（２−１．電子ペン１０による帳票４への記入）
図８は電子ペン１０により帳票４に記入を行う際の処理手順を示すフローチャートであり、図の各ステップは電子ペン１０のプロセッサ２１が実行する処理である。
【００５８】
本実施形態では、ユーザが電子ペン１０を持つと、親指によって透明板１８が押されてタッチセンサ１５に触れる。電子ペン１０では透明板１８がタッチセンサ１５に触れたかどうかを検知しており（Ｓ１０１）、透明板１８がタッチセンサ１５に触れていない場合（Ｓ１０１；Ｎ）は特に処理を行わないが、透明板１８がタッチセンサ１５に触れてタッチセンサ１５がＯＮとなると（Ｓ１０１；Ｙ）、指紋撮像部１４によって親指の指紋を撮像する（Ｓ１０２）。
【００５９】
電子ペン１０は、撮像された指紋画像を符号化して指紋データ２６としてメモリ２２に記憶する（Ｓ１０３）。
【００６０】
ユーザは電子ペン１０を使用して帳票４へ記入を行う。電子ペン１０は、その間、光学ユニット１２でペン先近傍の帳票４上のドットパターン４１を読み取り、前記したように帳票４上の位置情報を取得する。そして、ストロークデータ２５として、取得した位置情報を時系列順にメモリ２２に記録する（Ｓ１０４）。
【００６１】
電子ペン１０は、ユーザが電子ペン１０を持って帳票４への記入を続けておりタッチセンサ１５がＯＮとなっている間（Ｓ１０５；Ｎ）、ストロークデータ２５の記録を続ける。
【００６２】
一方、ユーザが帳票４への記入を終了して電子ペン１０から手を離し、タッチセンサ１５がＯＦＦになると（Ｓ１０５；Ｙ）、電子ペン１０は通信ユニット２３を介して端末ＰＣ３にストロークデータ２５と指紋データ２６を含む電子ペンデータ２４を送信する（Ｓ１０６）。
【００６３】
なお、電子ペンデータ２４の送信のタイミングはこれに限らず、例えば帳票４にデータ送信用のチェックボックスを用意しておき、チェックボックスにチェックマークを記入したことを電子ペン１０が検知すると送信を行うようにしてもよい。あるいは、ペンホルダー（不図示）に置かれたことを電子ペン１０が検知すると送信を行うようにしてもよい。
【００６４】
（２−２．端末ＰＣ３でのテキストデータ作成）
図９は端末ＰＣ３においてテキストデータを作成する手順を示すフローチャートである。図のＳ２０１、２０２、２０７、２０８、２１０〜２１３は端末ＰＣ３の制御部３１が実行する処理であり、その他はサーバ５の制御部５１が実行する処理である。
【００６５】
本実施形態では、端末ＰＣ３が電子ペン１０から電子ペンデータ２４を受信する（Ｓ２０１）と、指紋データ２６を含むフォントデータ送信依頼をサーバ５に送信する（Ｓ２０２）。
【００６６】
サーバ５は、フォントデータ送信依頼を端末ＰＣ３から受信すると（Ｓ２０３）、ユーザの手書き跡のフォントデータ２８の検索を行う（Ｓ２０４）。ここでは、受信した指紋データ２６に対応するユーザＩＤ２７を指紋ＤＢ８１から抽出し、フォントＤＢ８２から該ユーザＩＤ２７に対応するフォントデータ２８を抽出する。
【００６７】
こうしてフォントデータ２８が取得できた場合（Ｓ２０５；Ｙ）、サーバ５は、フォントデータ２８を端末ＰＣ３に送信する（Ｓ２０６）。
【００６８】
端末ＰＣ３は、サーバ５からフォントデータ２８を受信する（Ｓ２０７）と、前記したようにフォントデータ２８を用いてストロークデータ２５をＯＣＲ処理してテキストデータを作成する（Ｓ２０８）。また、記憶部３２に記憶された帳票４上の点検項目の位置情報と、上記ストロークデータ２５が示す帳票４上の位置を比較することで、上記ストロークデータ２５が記入された点検項目が判別できる。
【００６９】
端末ＰＣ３は、上記ストロークデータ２５から作成したテキストデータを、該ストロークデータ２５が記入された点検項目、点検を行った日付（例えばＳ２０１で電子ペンデータ２４を受信した日付）と合わせてサーバ５に送信する（Ｓ２１３）。
【００７０】
サーバ５は端末ＰＣ３から上記のテキストデータ等を受信し（Ｓ２１４）、図７（ｃ）に示す帳票データの各点検項目の点検結果８３１、点検日付８３２、ユーザＩＤ２７として、端末ＰＣ３から受信した点検結果のテキストデータ、点検日付、先程抽出したユーザＩＤ２７をそれぞれ記録して帳票データを作成し、帳票ＤＢ８３に格納する（Ｓ２１５）。なお、Ｓ２１３では各点検項目に記入したストロークデータ２５も送信し、帳票データとして記録してもよい。
【００７１】
一方、ユーザが指紋データ２６やフォントデータ２８を未登録の場合、サーバ５は、前記のＳ２０５においてフォントデータ２８を取得できない。その場合（Ｓ２０５；Ｎ）、サーバ５は、フォントデータ２８を取得できなかった旨とともに、前述した標準のフォントデータを端末ＰＣ３に送信する（Ｓ２０９）。
【００７２】
端末ＰＣ３は、標準のフォントデータを受信して（Ｓ２１０）、指紋データ２６等が未登録の旨を表示部３５に表示するなどして警告を行い（Ｓ２１１）、その後、標準のフォントデータを用いて前記と同様にしてストロークデータ２５に対しＯＣＲ処理を行い（Ｓ２１２）、Ｓ２１３以降の処理に移る。なお、この場合ではユーザが指紋データ２６等を未登録の状態なので、図７（ｃ）の帳票データにおいてユーザＩＤ２７は空欄となる。このため、ユーザＩＤ２７のみ端末ＰＣ３で入力してＳ２１３で前記のテキストデータ等とともにサーバ５に送信し、図７（ｃ）の帳票データのユーザＩＤ２７として記録してもよい。
【００７３】
こうして記録された帳票データについては、端末ＰＣ３からサーバ５に対する検索依頼を行い、サーバ５から検索結果を取得することが可能である。
【００７４】
すなわち、前記したタッチペン３４２を用いて端末ＰＣ３のタッチパネル上に記入を行うと、端末ＰＣ３は、電子ペン１０の場合と同様の処理によりユーザの指紋データ２６を得ることができるので、図９のＳ２０２〜Ｓ２０８と同様の処理により、ユーザの手書き跡のフォントデータ２８を用いてタッチペン３４２による記入時のストロークがテキストデータに変換できる。
【００７５】
従って、端末ＰＣ３は、このテキストデータを検索条件としてサーバ５に検索依頼を送信し、帳票ＤＢ８３内の検索が行える。例えばタッチペン３４２を用いて端末ＰＣ３のタッチパネル上で点検日付を記入することで、その日に点検が行われた帳票データを帳票ＤＢ８３から検索し、取得することができる。これによりキーボード等を用いずに直感的な操作で検索ができ、また検索精度も高い。
【００７６】
（２−３．指紋データ２６等の登録）
図１０は端末ＰＣ３からユーザの指紋データ２６、フォントデータ２８を登録する手順を示すフローチャートである。図のＳ３０１、３０２、３０６〜３０８は端末ＰＣ３の制御部３１が実行する処理であり、それ以外はサーバ５の制御部５１が実行する処理である。
【００７７】
ユーザは、指紋データ２６、フォントデータ２８を登録する際、前記と同様のドットパターンが印刷された登録用の帳票に、電子ペン１０を用いて必要な文字や記号を記入する。電子ペン１０は、前記と同様にしてストロークデータ２５と指紋データ２６を取得して、端末ＰＣ３に送信する。端末ＰＣ３は電子ペン１０からストロークデータ２５と指紋データ２６を受信すると（Ｓ３０１）、ストロークデータ２５、指紋データ２６を含む登録依頼をサーバ５に送信する（Ｓ３０２）。
【００７８】
サーバ５は、登録依頼を受信すると（Ｓ３０３）、指紋データ２６が指紋ＤＢ８１に既に登録されているか否かを判定する（Ｓ３０４）。指紋データ２６が未登録の場合（Ｓ３０４；Ｎ）、サーバ５は、ユーザＩＤ入力依頼を端末ＰＣ３に送信する（Ｓ３０５）。
【００７９】
端末ＰＣ３は、ユーザＩＤ入力依頼を受信して（Ｓ３０６）、ユーザＩＤ入力画面（不図示）を表示部３５に表示し、ユーザＩＤ２７の入力を受付け（Ｓ３０７）、入力されたユーザＩＤ２７をサーバ５に送信する（Ｓ３０８）。
【００８０】
サーバ５は、ユーザＩＤ２７を受信すると（Ｓ３０９）、先程受信した指紋データ２６をユーザＩＤ２７と紐付けて指紋ＤＢ８１に記録するともに、先程受信した各文字、記号のストロークデータ２５をフォントデータ２８としてユーザＩＤ２７と紐付けてフォントＤＢ８２に記録し、新規登録を行う（Ｓ３１０）。
【００８１】
なお、サーバ５は、先程のＳ３０４においてユーザの指紋データ２６が登録済みの場合（Ｓ３０４；Ｙ）、先程受信した各文字、記号のストロークデータ２５を新たなフォントデータ２８として、登録済みのフォントデータ２８の更新登録を行う（Ｓ３１１）。
【００８２】
以上説明したように、本実施形態の電子ペンシステム１は、電子ペン１０で得られたストロークデータ２５をＯＣＲ処理によりテキストデータへと変換するに当たり、予め登録したユーザ本人の手書き跡のフォントデータ２８を用いるので、文字認識率が向上して電子ペン１０で記入された内容をより正確にテキストデータ化することが可能となる。
【００８３】
また、本実施形態の電子ペンシステム１は、電子ペン１０での記入時にユーザ識別情報として指紋データ２６を取得するので、電子ペン１０で記入したユーザを確実に特定することができる。なお、本実施形態では指紋データ２６を利用したが、指紋以外の生体情報を利用してもよい。例えば指先の静脈画像のデータを用いてもよい。
【００８４】
また、本実施形態では、ユーザのフォントデータ２８が取得できない場合、標準のフォントデータを用いてストロークデータ２５についてＯＣＲ処理を行うので、フォントデータ２８が未登録のユーザに対しても、ストロークデータ２５からテキストデータが作成できる。なお、本実施形態では、前記したように端末ＰＣ３からユーザのフォントデータ２８をユーザＩＤ２７と紐付けて登録することが可能である。
【００８５】
また、本実施形態の電子ペンシステム１は、点検用の帳票４に記入を行う場合を例にとって説明したが、記入内容はこれに限ることはない。ただし、点検用の帳票４では用いる文字や記号が限られるので、ユーザのフォントデータ２８の登録がこれらの文字や記号のみで済み、負担が少ない利点がある。
【００８６】
さらに、本実施形態では端末ＰＣ３でＯＣＲ処理を行いテキストデータを作成したが、端末ＰＣ３から前記のストロークデータ２５や指紋データ２６をサーバ５に送信し、サーバ５にてＯＣＲ処理を行いテキストデータを作成することも可能である。この場合、サーバ５が本発明の情報処理装置として機能する。
【００８７】
［第２の実施形態］
次に、本発明の第２の実施形態について説明する。第２の実施形態は、電子ペン１０が、ユーザ識別情報として指紋データ２６の代わりにユーザＩＤを取得する例である。
【００８８】
すなわち、第２の実施形態では、図１１に示すように帳票４ａにユーザＩＤ２７の記入欄４７が設けられており、電子ペン１０の指紋撮像部１４やサーバ５の指紋ＤＢ８１が省略される。
【００８９】
テキストデータ作成時の流れは、基本的には図９で説明したものと同様であるが、端末ＰＣ３は、前記のＳ２０２において記入欄４７のストロークデータ２５に対するＯＣＲ処理からユーザＩＤ２７を取得し、ユーザＩＤ２７を含むフォントデータ送信依頼をサーバ５に送信する。上記のＯＣＲ処理では、例えば端末ＰＣ３の記憶部３２に前記した標準のフォントデータを記憶しておき、これを用いればよい。
【００９０】
また、前記のＳ２０４において、サーバ５は、フォントＤＢ８２からユーザＩＤ２７に対応するフォントデータ２８を検索する。フォントデータ２８が登録済みの場合は、前記のＳ２０６〜２０８と同様の処理にて、端末ＰＣ３がユーザのフォントデータ２８を用いてＯＣＲ処理を行い、ストロークデータ２５からテキストデータを作成する流れとなる。一方、フォントデータ２８が未登録の場合、端末ＰＣ３は標準のフォントデータを用いてＯＣＲ処理を行いテキストデータを作成できる。
【００９１】
また、第２の実施形態では、フォントデータ２８の登録について、ユーザＩＤ２７を端末ＰＣ３に入力し、前記と同様にして電子ペン１０を用いて登録用の帳票に記入した文字や記号などのストロークデータ２５とともにサーバ５に送信すればよい。サーバ５は、ユーザＩＤ２７に紐づく登録済みのフォントデータ２８が有る場合には、ストロークデータ２５を新たなフォントデータ２８として更新登録し、フォントデータ２８が未登録の場合には、ストロークデータ２５をフォントデータ２８としてユーザＩＤ２７と紐付けて新規登録する流れになる。
【００９２】
この第２の実施形態でも、第１の実施形態と同様の効果が得られ、システム構成が簡単になる効果もある。ただし、記入者を正確に特定する点では第１の実施形態のように指紋データ２６を用いる方が優れている。
【００９３】
以上、添付図面を参照しながら、本発明の好適な実施形態について説明したが、本発明はかかる例に限定されない。当業者であれば、本願で開示した技術的思想の範疇内において、各種の変更例または修正例に想到し得ることは明らかであり、それらについても当然に本発明の技術的範囲に属するものと了解される。
【符号の説明】
【００９４】
１：電子ペンシステム
３：端末ＰＣ
４、４ａ：帳票
５：サーバ
１０：電子ペン
３０１：電子ペンデータ取得手段
３０２：変換手段
３０３：登録手段
【図１】
2015060484.tif 000003
【図２】
2015060484.tif 000004
【図３】
2015060484.tif 000005
【図４】
2015060484.tif 000006
【図５】
2015060484.tif 000007
【図６】
2015060484.tif 000008
【図７】
2015060484.tif 000009
【図８】
2015060484.tif 000010
【図９】
2015060484.tif 000011
【図１０】
2015060484.tif 000012
【図１１】
2015060484.tif 000013